(57)【特許請求の範囲】
【請求項１】
光源と、
表示領域及び前記表示領域を取り囲む非表示領域を含む表示面と、この表示面の反対側にある背面とを有する表示パネルと、
前記背面側に配される板状部材であって、前記板状部材の端面からなり前記光源からの光が入射される光入射面と、前記板状部材の表側の板面からなり前記光入射面から入射された光を前記背面に向けて出射する光出射面とを有する導光板と、
前記光入射面に対して間隔を保ちつつ対向すると共に、前記間隔内に前記光源が配されるように前記光源を支持する光源支持部材と、
前記表示パネル側に配される前記光源支持部材の端部から前記光入射面側へ延びると共に、前記光出射面のうち前記非表示領域と重畳する部分を覆うように前記表示パネルと前記導光板との間に配される遮光性を備えた遮光部材と、を備え、
前記遮光部材は、前記表示パネル側に配される前記光源支持部材の前記端部に固定される固定部を有し、
前記固定部は、厚み方向に貫通し、前記表示パネル側に配される前記光源支持部材の前記端部が挿着される挿着孔を含む表示装置。
表示装置。
【請求項２】
端部が前記遮光部材よりも内側に配されるように、前記表示パネルと前記導光板との間に介在され、前記光出射面から出射された光を前記表示パネルの背面に向けて透過させる光学シートを備える請求項１に記載の表示装置。
【請求項３】
前記表示パネルは、前記非表示領域に対応する個所に遮光層を含み、
前記遮光部材は、前記遮光層と重畳するように配される請求項１又は請求項２に記載の表示装置。
【請求項４】
前記遮光部材は、前記表示パネルと前記導光板との間で挟持される請求項１から請求項３のいずれか一項に記載の表示装置。
【請求項５】
前記遮光部材は、前記光源と対向する側の表面上に反射部材を有する請求項１から請求項４のいずれか一項に記載の表示装置。
【請求項６】
前記反射部材は、前記光出射面のうち前記非表示領域と重畳する部分を覆うように前記遮光部材の前記表面上に形成されている請求項５に記載の表示装置。
【請求項７】
光源と、
表示領域及び前記表示領域を取り囲む非表示領域を含む表示面と、この表示面の反対側にある背面とを有する表示パネルと、
前記背面側に配される板状部材であって、前記板状部材の端面からなり前記光源からの光が入射される光入射面と、前記板状部材の表側の板面からなり前記光入射面から入射された光を前記背面に向けて出射する光出射面とを有する導光板と、
前記光入射面に対して間隔を保ちつつ対向すると共に、前記間隔内に前記光源が配されるように前記光源を支持する光源支持部材と、
前記表示パネル側に配される前記光源支持部材の端部から前記光入射面側へ延びると共に、前記光出射面のうち前記非表示領域と重畳する部分を覆うように前記表示パネルと前記導光板との間に配される遮光性を備えた遮光部材と、
端部が前記遮光部材よりも内側に配されるように、前記表示パネルと前記導光板との間に介在され、前記光出射面から出射された光を前記表示パネルの背面に向けて透過させる光学シートと、を備え、
前記遮光部材は、内側から前記光源支持部材側に向かって上るように傾斜すると共に、前記光学シートの端部が挿入可能な隙間を前記表示パネルの背面との間で形成する傾斜面を含む表示装置。
【請求項８】
前記光学シートの端部位置が、前記表示パネルの端部位置よりも内側に配されている請求項２又は請求項７に記載の表示装置。
【請求項９】
前記表示パネルの端部位置が、前記導光板の前記光入射面よりも内側に配されている請求項１から請求項８のいずれか一項に記載の表示装置。
【請求項１０】
前記表示パネルは、一対の基板間に液晶を封入してなる液晶パネルからなる請求項１から請求項９のいずれか一項に記載の表示装置。
【請求項１１】
請求項１から請求項１０のいずれか一項に記載された表示装置を備えるテレビ受信装置。
【発明の詳細な説明】
【技術分野】
【０００１】
本発明は、表示装置、及びテレビ受信装置に関する。
【背景技術】
【０００２】
テレビ、携帯電話、携帯情報端末等の表示装置に、液晶パネルが汎用されている。液晶パネルは、それ自身で光を発することができないため、画像を表示させるために、照明装置（所謂、バックライト装置）の光を利用している。この照明装置は、液晶パネルの背面側に配され、液晶パネルの背面に向けて面状の光を出射するように構成されている。
【０００３】
前記照明装置としては、特許文献１に示されるように、導光板と、この導光板の端面と対向するように配される光源とを備えるものが知られている。この種の照明装置は、一般的に、サイドライト型（又はエッジライト型）として知られており、導光板の端面が、光源から発せられた光が入射される光入射面となっており、そして、導光板の表側の板面が、液晶パネルの背面に向けて光を出射する光出射面となっている。
【０００４】
なお、液晶パネルは、その表側の周縁に被せられる金属性の枠状部材と、その背面（裏）側の周縁に宛がわれる遮光性を備えたプラスチック製の枠状部材との間で挟まれた状態で、前記照明装置の光出射面側に配されている。
【０００５】
ところで、近年、薄型化等の要望により、液晶パネルの背面側に配される上述した枠状部材を省略した構成の表示装置が提案されている。この種の表示装置において、液晶パネルは、導光板の表側の板面上に載せられる形で設置されている。
【先行技術文献】
【特許文献】
【０００６】
【特許文献１】特開２０１１−３４０１７号公報
【発明の概要】
【発明が解決しようとする課題】
【０００７】
液晶パネルの背面側に配される前記枠状部材が省略された表示装置では、光源から発せられた光が液晶パネルの端面（周縁）から液晶パネル内に入り込んでしまう。液晶パネルの端面から光が入り込むと、その入り込んだ付近の液晶パネルの表示領域に、輝度が高くなり過ぎる部分（輝部）を発生させるため、液晶パネルの輝度ムラの原因となっている。例えば、液晶パネルが黒表示の場合であっても、液晶パネルの端面から光が入り込むと、表示領域に輝度ムラが発生してしまい、問題となっている。
【０００８】
本発明の目的は、表示パネルの端面から光が入り込むことによって表示領域に輝度ムラが発生することが抑制された表示装置等を提供することである。
【課題を解決するための手段】
【０００９】
本発明に係る表示装置は、光源と、表示領域及び前記表示領域を取り囲む非表示領域を含む表示面と、この表示面の反対側にある背面とを有する表示パネルと、前記背面側に配される板状部材であって、前記板状部材の端面からなり前記光源からの光が入射される光入射面と、前記板状部材の表側の板面からなり前記光入射面から入射された光を前記背面に向けて出射する光出射面とを有する導光板と、前記光入射面に対して間隔を保ちつつ対向すると共に、前記間隔内に前記光源が配されるように前記光源を支持する光源支持部材と、前記表示パネル側に配される前記光源支持部材の端部から前記光入射面側へ延びると共に、前記光出射面のうち前記非表示領域と重畳する部分を覆うように前記表示パネルと前記導光板との間に配される遮光性を備えた遮光部材と、を備える。前記表示装置において、表示パネルの背面側に導光板が配されている。また、光源は、導光板の光入射面に対して間隔を保ちつつ対向すると共に、前記間隔内に前記光源が配されるよう光源支持部材によって支持されている。そして、表示パネル側に配される前記光源支持部材の端部から前記光入射面側へ延びると共に、前記光出射面のうち前記非表示領域と重畳する部分を覆うように前記表示パネルと前記導光板との間に配される遮光性を備えた遮光部材を備えている。このような遮光部材を備えることによって、前記光源から発せられた光が、直接、前記表示パネルの端部（端面）に向かって進むことが抑制されると共に、前記光出射面の前記部分（前記光出射面のうち前記非表示領域と重畳する部分）から、前記表示パネルの端部（端面）に向かって光が出射されることが抑制される。その結果、前記表示装置では、光が前記表示パネルの端部（端面）から前記表示パネル内に入り込んで前記表示面の前記表示領域に輝度ムラを発生させることが抑制される。
【００１０】
前記表示装置において、端部が前記遮光部材よりも内側に配されるように、前記表示パネルと前記導光板との間に介在され、前記光出射面から出射された光を前記表示パネルの背面に向けて透過させる光学シートを備えるものであってもよい。前記表示装置において、前記光学シートを備えている場合、前記遮光部材によって、前記端部から前記光学シート内に光が入り込んで前記表示面の前記表示領域に輝度ムラを発生させることが抑制される。
【００１１】
前記表示装置において、前記表示パネルは、前記非表示領域に対応する個所に遮光層を含み、前記遮光部材は、前記遮光層と重畳するように配されるものが好ましい。前記表示装置において、前記表示パネルが、前記非表示領域に対応する個所に遮光層を含み、前記遮光部材が、前記遮光層と重畳するように配されると、前記光出射面のうち前記非表示領域と重畳する部分であって、前記遮光部材によって覆われていない部分から光が出射されても、その光は前記遮光層によって遮られることになる。したがって、前記表示装置においては、前記表示パネルの端部（端面）に光が入り込むことがより確実に抑制される。
【００１２】
前記表示装置において、前記遮光部材は、前記表示パネルと前記導光板との間で挟持されるものであってもよい。このように、前記遮光部材が、前記表示パネルと前記導光板との間で挟持される構成であると、前記遮光部材を所定個所で位置決めし易くなる。
【００１３】
前記表示装置において、前記遮光部材は、前記表示パネル側に配される前記光源支持部材の前記端部に固定される固定部を有するものであってもよい。このように、前記遮光部材が、前記表示パネル側に配される前記光源支持部材の前記端部に固定される固定部を有すると、前記固定部を利用して前記光源支持部材の前記端部に固定することによって、前記遮光部材を所定個所に位置決めすることができる。
【００１４】
前記表示装置において、前記固定部は、厚み方向に貫通し、前記表示パネル側に配される前記光源支持部材の前記端部が挿着される挿着孔を含むものであってもよい。このように、前記遮光部材の前記固定部が、厚み方向に貫通し、前記表示パネル側に配される前記光源支持部材の前記端部が挿着される挿着孔を含むものであると、前記遮光部材を前記光源支持部材に対して容易に取り付けることができる。
【００１５】
前記表示装置において、前記光源支持部材は、前記表示パネル側に配される前記端部に嵌合部を有し、前記固定部は、前記嵌合部と嵌合される被嵌合部を有するものであってもよい。このように、前記光源支持部材が、前記表示パネル側に配される前記端部に嵌合部を有し、前記固定部が、前記嵌合部と嵌合される被嵌合部を有するものであると、前記嵌合部と前記被嵌合部とを互いに嵌合させることによって、前記固定部を前記光源支持部材に対して、容易に取り付けることができる。
【００１６】
前記表示装置において、前記嵌合部は、前記表示パネル側に突出した凸部からなり、前記被嵌合部は、前記凸部と嵌合する凹部からなるものであってもよい。前記嵌合部が、前記表示パネル側に突出した凸部からなり、前記被嵌合部が、前記凸部と嵌合する凹部からなるものであってもよい。反対に、前記嵌合部が、前記表示パネル側に開口した凹部からなり、前記被嵌合部が、前記凹部と嵌合する凸部からなるものであってもよい。
【００１７】
前記表示装置において、前記遮光部材は、前記光源と対向する側の表面上に反射部材を有するものであってもよい。このように、前記遮光部材が、前記光源と対向する側の表面上に反射部材を有していると、前記光源から発せられた光が、前記反射部材で反射されて、前記光入射面側へ戻されることになる。したがって、前記光源から発せられた光が前記光入射面に入射される効率（光入射効率）が高められる。
【００１８】
前記表示装置において、前記反射部材は、前記光出射面のうち前記非表示領域と重畳する部分を覆うように前記遮光部材の前記表面上に形成されているものであってもよい。このように、前記反射部材が、前記光出射面のうち前記非表示領域と重畳する部分を覆うように前記遮光部材の前記表面上に形成されていると、前記光出射面のうち前記非表示領域と重畳する部分から出射される光が、前記反射部材に反射されて、再び導光板内へ戻されることになる。したがって、前記光源から発せられた光（特に、前記非表示領域と重畳する部分から出射された光）の利用効率を高めることができる。
【００１９】
前記表示装置において、前記遮光部材は、内側から前記光源支持部材側に向かって上るように傾斜すると共に、前記光学シートの端部が挿入可能な隙間を前記表示パネルの背面との間で形成する傾斜面を含むものであってもよい。前記表示装置において、前記遮光部材が前記傾斜面を含んでいると、前記光学シートが熱膨張した際や位置ずれした際に、前記光学シートの前記端部が外側に移動しても、前記光学シートの前記端部は、前記傾斜面と前記表示パネルとの間に形成される前記隙間に挿入される。したがって、前記表示装置では、前記光学シートの前記端部が前記遮光部材に押し返されて、前記光学シートに撓みやシワ等の変形が発生することが抑制される。ひいては、前記表示装置において、前記光学シートの変形に因る輝度ムラの発生が抑制される。
【００２０】
前記表示装置において、前記表示パネルの端部位置が、前記導光板の前記光入射面よりも内側に配されているものであってもよい。
【００２１】
前記表示装置において、前記光学シートの端部位置が、前記表示パネルの端部位置よりも内側に配されているものであってもよい。
【００２２】
前記表示装置において、前記表示パネルは、一対の基板間に液晶を封入してなる液晶パネルからなるものであってもよい。
【００２３】
本発明のテレビ受信装置は、前記表示装置を備えるものからなる。
【発明の効果】
【００２４】
本発明によれば、表示パネルの端面から光が入り込むことによって表示領域に輝度ムラが発生することが抑制された表示装置等を提供できる。
【図面の簡単な説明】
【００２５】
【図１】本発明の実施形態１に係るテレビ受信装置ＴＶの概略構成を示す分解斜視図
【図２】テレビ受信装置ＴＶの背面図
【図３】液晶表示装置を構成する液晶表示ユニットＬＤＵの概略構成を示す分解斜視図
【図４】液晶表示装置のＡ−Ａ’線断面図
【図５】図４に示される液晶表示装置の拡大断面図
【図６】実施形態２に係る液晶表示装置の拡大断面図
【図７】実施形態３に係る液晶表示装置の拡大断面図
【図８】実施形態４に係る液晶表示装置の拡大断面図
【図９】実施形態５に係る液晶表示装置の拡大断面図
【発明を実施するための形態】
【００２６】
＜実施形態１＞
本発明の実施形態１を、図１から図５を参照しつつ説明する。本実施形態では、テレビ受信装置ＴＶ、及び液晶表示装置１０を例示する。なお、各図面には、Ｘ軸、Ｙ軸及びＺ軸が示されており、各軸方向が各図面において共通の方向となるように描かれている。また、図３及び図４に示される上側を表側（表示面側）とし、同図下側を裏側（背面側）とする。
【００２７】
図１は、本発明の実施形態１に係るテレビ受信装置ＴＶの概略構成を示す分解斜視図であり、図２は、テレビ受信装置ＴＶの背面図である。本実施形態に係るテレビ受信装置ＴＶは、図１に示されるように、液晶表示ユニットＬＤＵと、この液晶表示ユニットＬＤＵの裏側（背面側）に取り付けられる各種基板ＰＷＢ，ＭＢ，ＣＴＢと、液晶表示ユニットＬＤＵの裏側に、各種基板ＰＷＢ，ＭＢ，ＣＴＢを覆う形で取り付けられるカバー部材ＣＶと、スタンドＳＴとを備えている。液晶表示ユニットＬＤＵは、その表示面１１ｃが鉛直方向（Ｙ軸方向）に沿うように、スタンドＳＴによって支持されている。
【００２８】
本実施形態に係る液晶表示装置１０は、上記した構成のテレビ受信装置ＴＶから、少なくともテレビ信号を受信するための構成（メイン基板ＭＢのチューナー部等）を除いたものからなる。液晶表示ユニットＬＤＵは、全体として横長の矩形状をなしており、表示パネルとしての液晶パネル１１と、外部光源としてのバックライト装置（照明装置）１２とを備え、これらが液晶表示装置１０の外観を構成するフレーム１３及びシャーシ１４によって一体的に保持された構成となっている。
【００２９】
液晶表示装置１０における裏側の外観を構成するシャーシ１４の裏面には、図２に示されるように、Ｙ軸方向に沿って延在する形態のスタンド取付部材ＳＴＡがＸ軸方向に離間した二個所に一対取り付けられている。これらスタンド取付部材ＳＴＡは、断面形状がシャーシ１４側の面が開口した略チャンネル型をなしており、シャーシ１４との間に形成される空間内に、スタンドＳＴにおける一対の支柱部ＳＴｂが差し込まれるように構成されている。なお、スタンド取付部材ＳＴＡ内の空間には、バックライト装置１２が有するＬＥＤ基板１８に接続された配線部材（電線等）が通されるようになっている。スタンドＳＴは、Ｘ軸方向及びＺ軸方向に沿って広がる台座部ＳＴａと、台座部ＳＴａからＹ軸方向に沿って立ち上がる一対の支柱部ＳＴｂとからなる。カバー部材ＣＶは、合成樹脂製であり、一対のスタンド取付部材ＳＴＡをＸ軸方向において横切りつつ、シャーシ１４の裏面における下側半分程度（図２参照）を覆う形で取り付けられている。このカバー部材ＣＶとシャーシ１４との間には、後述する各種基板ＰＷＢ，ＭＢ，ＣＴＢ等の部品を収容可能な空間が形成されている。
【００３０】
各種基板ＰＷＢ，ＭＢ，ＣＴＢとしては、図２に示されるように、電源基板ＰＷＢ，メイン基板ＭＢ及びコントロール基板ＣＴＢが含まれている。電源基板ＰＷＢは、液晶表示装置１０の電力供給源であり、他の各基板ＭＢ，ＣＴＢ及びバックライト装置１２が有するＬＥＤ１７等に駆動電力を供給する。メイン基板ＭＢは、テレビ信号を受信可能なチューナー部（不図示）と、受信したテレビ信号を画像処理する画像処理部（不図示）とを有しており、処理した画像信号をコントロール基板ＣＴＢへ出力する。なお、このメイン基板ＭＢは液晶表示装置１０が、外部の画像再生機器（不図示）に接続された時には、その画像再生機器からの画像信号が入力されるため、その画像信号を画像処理部にて処理し、処理後の信号がコントロール基板ＣＴＢに出力される。コントロール基板ＣＴＢは、メイン基板ＭＢから入力される画像信号を液晶駆動用の信号に変換し、その変換した液晶駆動用の信号を、液晶パネル１１に供給する機能を有する。
【００３１】
図３は、液晶表示装置１０を構成する液晶表示ユニットＬＤＵの概略構成を示す分解斜視図であり、図４は、液晶表示装置１０のＡ−Ａ’線断面図であり、図５は、図４に示される液晶表示装置１０の拡大断面図である。液晶表示装置１０を構成する液晶表示ユニットＬＤＵは、図３から図５に示されるように、その主要な構成部品が、表側に配されるフレーム（フロントフレーム）１３と、裏側に配されるシャーシ（リアシャーシ）１４との間で挟まれた構成となっている。フレーム１３とシャーシ１４との間で挟まれる主要な構成部品には、少なくとも、液晶パネル１１と、光学部材１５と、導光板１６と、ＬＥＤユニット（光源ユニット）ＬＵと、光源支持部材（放熱部材）１９と、反射シート２０と、遮光部材２１とが含まれている。これらのうち、液晶パネル１１、光学部材１５、導光板１６及び反射シート２０は、相互に積層された状態で、その表側のフレーム１３と、裏側のシャーシ１４とによって、挟み込まれる形で保持される。なお、バックライト装置１２は、主として、光学部材１５と、導光板１６と、ＬＥＤユニットＬＵと、光源支持部材１９と、シャーシ１４と、反射シート２０と、遮光部材２１とを含むものからなる。ＬＥＤユニットＬＵは、フレーム１３とシャーシ１４との間において、導光板１６の長辺側の各端面１６ｂ，１６ｃに沿うようにそれぞれ配されている。ＬＥＤユニットＬＵは、光源であるＬＥＤ（ＬＥＤ光源）１７と、ＬＥＤ１７が実装されるＬＥＤ基板（光源基板）１８とを備えている。ＬＥＤユニットＬＵは、光源支持部材（放熱部材）１９に支持された状態で使用される。
【００３２】
液晶パネル１１は、図３等に示されるように、平面に視て横長の矩形状をなしている。液晶パネル１１は、透光性に優れた一対のガラス製の基板１１ａ，１１ｂが所定のギャップを隔てた状態で貼り合わせられるとともに、両基板１１ａ，１１ｂ間に液晶が封入された構成となっている。一対の基板１１ａ，１１ｂのうち表側（表示面１１ｃ側）のものがカラーフィルタ（以下、ＣＦ）基板１１ａであり、裏側（背面１１ｄ側）のものがアレイ基板１１ｂである。アレイ基板１１ｂには、互いに直交するソース配線とゲート配線とに接続されたスイッチング素子（例えば、薄膜トランジスタ：ＴＦＴ）と、そのスイッチング素子に接続された画素電極、さらには配向膜等が設けられている。詳しくは、アレイ基板１１ｂには、ＴＦＴ及び画素電極が多数個並んで設けられるとともに、これらＴＦＴ及び画素電極の周りには、格子状をなすゲート配線及びソース配線が取り囲むようにして多数本ずつ配設されている。ゲート配線とソース配線とがそれぞれＴＦＴのゲート電極とソース電極とに接続され、画素電極がＴＦＴのドレイン電極に接続されている。また、アレイ基板１１ｂには、ゲート配線に並行するとともに画素電極に対して平面に視て重畳する容量配線（補助容量配線、蓄積容量配線、Ｃｓ配線）が設けられており、容量配線とゲート配線とがＹ軸方向について交互に並ぶ形で配されている。一方、ＣＦ基板１１ａには、Ｒ（赤色）、Ｇ（緑色）、Ｂ（青色）等の各着色部が所定配列で配置されたＣＦや、各ＣＦを区画するように配される格子枠状をなした遮光性のブラックマトリクス（以下、ＢＭ）が設けられている。また、各ＣＦやＢＭを覆うように対向電極、さらには配向膜等が設けられている。なお、両基板１１ａ，１１ｂの外側にはそれぞれ偏光板（不図示）が配されている。
【００３３】
液晶パネル１１を構成する一対の基板１１ａ，１１ｂのうち、アレイ基板１１ｂは、図４及び図５に示すように、平面に視た大きさがＣＦ基板１１ａよりも大きく設定されている。アレイ基板１１ｂは、その端部がＣＦ基板１１ａの端部よりも外側に突き出す形で配されている。詳しくは、アレイ基板１１ｂは、その外周端部が全周にわたってＣＦ基板１１ａの外周端部よりも外側に突き出すように、ＣＦ基板１１ａよりも一回り大きく形成されている。アレイ基板１１ｂの外周端部を構成する一対の長辺側端部のうち、Ｙ軸方向についてコントロール基板ＣＴＢ側（図３に示される手前側、図４に示される左側）の長辺側端部には、上記したソース配線から引き回されたソース側端子部（不図示）が複数設けられている。各ソース側端子部には、図３に示されるように、フレキシブル基板２１１が接続されている。フレキシブル基板２１１は、Ｘ軸方向（つまり、アレイ基板１１ｂの長辺側端部に沿う方向）について、複数のものが間欠的に並んで配されている。各フレキシブル基板２１１は、アレイ基板１１ｂの長辺側端部から外側（Ｙ軸方向）にはみ出した形となっている。
【００３４】
これに対して、アレイ基板１１ｂの外周端部を構成する一対の短辺側端部のうち、一方（図３に示される左側）の短辺側端部には、上記したゲート配線及び容量配線から引き回されたゲート側端子部（不図示）が複数設けられている。各ゲート側端子部には、フレキシブル基板１１１が接続されている。フレキシブル基板１１１は、Ｙ軸方向（つまり、アレイ基板１１ｂの短辺側端部に沿う方向）について、複数のものが間欠的に並んで配されている。各フレキシブル基板１１１は、アレイ基板１１ｂの短辺側端部から外側（Ｘ軸方向）にはみ出した形となっている。
【００３５】
ソース側のフレキシブル基板２１１は、絶縁性及び可撓性を有する合成樹脂材料（例えばポリイミド系樹脂）からなるフィルム状の基材と、その基材上に実装される液晶駆動用のソースドライバ（ＩＣチップ、駆動部品の一例）２１２とを備えている。ソースドライバ２１２は、フレキシブル基板２１１の裏側（図３及び図４）に配されている。フレキシブル基板２１１の基材上には、多数本の配線パターン（不図示）が形成されており、その配線パターンに、基材の中央付近に実装されているソースドライバ２１２が接続されている。前記配線パターンは、銅箔等の金属膜からなる導電路であり、フレキシブル基板２１１の基材上に、公知の技術を利用して、適宜、形成される。
【００３６】
本実施形態の場合、前記ドライバ２１２が実装されているフレキシブル基板２１１は、所謂、ＳＯＦ（Ｓｙｓｔｅｍ  ｏｎ  Ｆｉｌｍ）から構成されている。フレキシブル基板２１１は、その一方の端部がアレイ基板１１ｂのソース側端子部に対して異方性導電膜（ＡＣＦ）を介して圧着接続されている。また、他方の端部がソース側のプリント基板（ソース基板）２１３が有する端子部（不図示）に対して異方性導電膜（ＡＣＦ）を介して圧着接続されている。そして、フレキシブル基板２１１を介して、プリント基板２１３とアレイ基板１１ｂ（液晶パネル１１）とが互いに構造的及び電気的に接続されている。プリント基板（ソース基板）２１３は、図示されない配線部材（ＦＰＣ：フレキシブルプリント基板）を介して上述したコントロール基板ＣＴＢに接続されている。プリント基板２１３は、コントロール基板ＣＴＢから入力される信号（ゲート配線への走査信号、ソース配線へのデータ信号、容量配線への容量信号等）を、フレキシブル基板２１１を介して液晶パネル１１側に供給する。なお、プリント基板２１３は、長尺状（帯状）をなしている。本実施形態の場合、２本のプリント基板２１３が利用されており、これらは互いに一列に並ぶように、各フレキシブル基板２１１に接続されている。１本分のプリント基板２１３の長手方向における長さは、液晶パネル１１における長辺の半分程度の長さに設定されている。また、プリント基板２１３の短手方向における長さは、プリント基板２１３に形成される配線パターン等の都合上、導光板１６の厚み（Ｚ軸方向における導光板１６の長さ）よりも、長くなっている。
【００３７】
ゲート側のフレキシブル基板１１１は、一方の端部がアレイ基板１１ｂのゲート側端子部に対して異方性導電膜（ＡＣＦ）を介して圧着接続された形となっている。フレキシブル基板１１１は、ソース側のフレキシブル基板２１１と同様、ＳＯＦから構成されている。フレキシブル基板１１１上には、ゲートドライバ（ＩＣチップ）１１２が実装されている。ゲートドライバ１１２は、フレキシブル基板１１１の裏側（図３）に配されている。なお、アレイ基板１１ｂには、ソース側端子部とゲート側端子部との間を結ぶ中継配線（図示せず）が形成されている。この中継配線を介して、コントロール基板ＣＴＢから入力される信号（ゲート配線への走査信号、容量配線への容量信号等）が、ゲート側端子部、フレキシブル基板１１１に供給される。このような構成により、液晶パネル１１は、コントロール基板ＣＴＢから入力される信号に基づいてその表示面１１ｃに画像を表示させている。
【００３８】
液晶パネル１１は、図３から図５に示されるように、後述する光学部材１５の表側（光出射側）に積層する形で載せられている。液晶パネル１１の裏側の板面（背面１１ｄ）は、光学部材１５に対して殆ど隙間無く密着している。これにより、液晶パネル１１と光学部材１５との間に塵埃等が侵入することが防がれている。液晶パネル１１の表示面（表側の板面）１１ｃは、画面中央側にあって画像が表示可能な矩形状の表示領域１１ｃ１と、画面外周端側にあって表示領域の周りを取り囲む枠状（額縁状）の非表示領域１１ｃ２とからなる。なお、上記した各端子部及び各フレキシブル基板１１１，２１１は、非表示領域１１ｃ２に配されている。
【００３９】
光学部材１５は、図３に示されるように、液晶パネル１１と同様、平面に視て横長の矩形状をなしている。光学部材１５の大きさ（短辺寸法及び長辺寸法）は、液晶パネル１１の表示領域１１ｃ１よりも大きく設定されている。ただし、光学部材１５は、液晶パネル１１全体よりは、一回り小さく設定されている。光学部材１５は、後述する導光板１６の表側（光出射側）に積層する形で載せられており、液晶パネル１１と導光板１６との間に挟み込まれた状態で配されている。なお、光学部材１５は、導光板１６の表側の板面１６ａ内に納まる大きさとなっている。光学部材１５は、３枚のシート状のものが互いに積層して配されたものからなる。光学部材１５の具体例としては、例えば、拡散シート、レンズシート、反射型偏光シートなどが挙げられ、これらの中から適宜、選択されたものが使用される。光学部材１５は、導光板１６の表側の板面（光出射面）１６ａから出射された光を液晶パネルの背面１１ｄに向けて透過させる。
【００４０】
導光板１６は、屈折率が空気よりも十分に高く且つほぼ透明な（透光性に優れた）合成樹脂材料（例えば、ＰＭＭＡ等のアクリル樹脂やポリカーボネート）からなる。導光板１６は、図３に示されるように、液晶パネル１１及び光学部材１５と同様、平面に視て横長の矩形状をなしている。また、導光板１６は、光学部材１５よりも厚みが大きな板状をなしている。なお、導光板１６は、その主面（板面１６ａ，１６ｆ）における長辺方向がＸ軸方向と一致し、短辺方向がＹ軸方向と一致し、そして主面（板面１６ａ，１６ｆ）と直交する板厚方向がＺ軸方向と一致するように、各図に描かれている。導光板１６は、その表側から見た際の大きさ（短辺寸法及び長辺寸法）が、液晶パネル１１に比べて大きく設定されている。導光板１６は、その端部が液晶パネル１１の端部よりも外側に突き出す形で表示装置１０内に配されている。
【００４１】
導光板１６は、その端部が全周にわたって液晶パネル１１のアレイ基板１１ｂにおける外周端部よりも外側に突き出すように液晶パネル１１よりも一回り大きく形成されている。導光板１６は、光学部材１５の裏側に配されており、光学部材１５とシャーシ１４との間で挟まれている。導光板１６の長辺側における２つ端面１６ｂ，１６ｃの外側には、それぞれ光源支持部材１９に支持された状態のＬＥＤユニットＬＵが配されており、ＬＥＤユニットＬＵからの光が前記端面１６ｂ，１６ｃから導光板１６内に導入される。導光板１６は、長辺側の各端面１６ｂ，１６ｃから導入されたＬＥＤユニットＬＵからの光を内部で伝播させつつ、光学部材１５側（表側）へ向かうように立ち上げて出射させる機能を有する。
【００４２】
導光板１６の板面のうち、表側の板面（光学部材１５との対向面）１６ａが、内部の光を光学部材１５及び液晶パネル１１に向けて出射させる光出射面１６ａとなっている。また、導光板１６における主面（板面１６ａ等）に対して隣り合う外周端面のうち、Ｘ軸方向に沿って長手状をなす長辺側の両端面１６ｂ、１６ｃは、それぞれＬＥＤ１７（ＬＥＤ基板１８）と所定間隔を置いて対向しており、これらがＬＥＤ１７から発せられた光が入射される一対の光入射面１６ｂ，１６ｃとなっている。光入射面１６ｂ，１６ｃは、Ｘ軸方向及びＺ軸方向（ＬＥＤ基板１８の主板面）に沿ってそれぞれ平行に配されており、光出射面１６ａに対して略直交している。また、導光板１６の外周端面のうち、短手状をなす短辺側の両端面１６ｄ，１６ｅは、Ｙ軸方向及びＺ軸方向に沿ってそれぞれ平行に配されており、光出射面１６ａに対して略直交している。
【００４３】
導光板１６の裏側には、導光板１６内の光を光出射面１６側に向けて反射させるための反射シート２０が配されている。反射シート２０は、導光板１６の裏側の板面１６ｃ全域を覆う形で設けられている。なお、反射シート２０は、表示装置１２内において、シャーシ１４と導光板１６との間に挟み込まれた形で配されている。反射シート２０は、表面が光反射性に優れた白色を呈する合成樹脂製のシート（例えば、発泡ポリエチレンテレフタレートシート）からなる。
【００４４】
なお、導光板１６の光出射面１６ａ又は裏側の板面１６ｆの少なくともいずれか一方には、導光板１６内部の光を反射させる反射部（不図示）、又は導光板１６内部の光を散乱させる散乱部（不図示）が所定の面内分布を持つようパターニングされている。それらによって、光出射面１６ａからの出射光が面内において均一な分布となるよう制御されている。
【００４５】
次に、ＬＥＤユニットＬＵを構成するＬＥＤ１７及びＬＥＤ基板１８及について説明する。ＬＥＤ１７は、図４及び図５に示されるように、ＬＥＤ基板１８に固着される基板部上にＬＥＤチップを樹脂材により封止した構成となっている。基板部に実装されるＬＥＤチップは、主発光波長が１種類からなる。具体的には、青色を単色発光するものがＬＥＤチップとして利用されている。ＬＥＤチップを封止する樹脂材には、ＬＥＤチップから発せられた青色の光により励起されて所定の色を発光する蛍光体が分散配合されている。前記樹脂材は、全体として概ね白色光を発するように構成されている。なお、蛍光体としては、例えば、黄色光を発光する黄色蛍光体、緑色光を発光する緑色蛍光体、及び赤色光を発光する赤色蛍光体の中から適宜、組み合せたものを用いてもよいし、それらを単独で用いてもよい。ＬＥＤ１７は、ＬＥＤ基板１８に対する実装面とは反対側の面（導光板１６の光入射面１６ｂ，１６ｃと対向する板面）が主発光面１７ａとなっている、所謂、頂面発光型である。
【００４６】
ＬＥＤ基板１８は、図３から図５に示されるように、導光板１６の長辺方向（Ｘ軸方向、光入射面１６ｂ，１６ｃの長手方向）に沿って延在する細長い板状（帯状、長尺状）をなしている。ＬＥＤ基板１８は、その主面がＸ軸方向及びＺ軸方向に沿った姿勢（つまり、導光板１６の光入射面１６ｂ，１６ｃに平行に並んだ姿勢）で、フレーム１３及びシャーシ１４内に収容されている。ＬＥＤ基板１８は、その長手方向の長さ（寸法）が、導光板１６の長辺と同程度に設定されている。ＬＥＤ基板１８の導光板１６側を向いた板面（実装面）１８ａには、複数個のＬＥＤ１７が表面実装されている。ＬＥＤ１７は、ＬＥＤ基板１８の実装面１８ａにおいて、その長さ方向（Ｘ軸方向）に沿って複数のものが所定間隔を置きつつ一列に並んでいる。また、複数個のＬＥＤ１７からなるＬＥＤ列同士が、導光板１６の長辺方向に沿って、互いに平行に並んでいる。Ｘ軸方向において隣り合ったＬＥＤ１７同士の間隔（つまり、ＬＥＤ１７の配列ピッチ）は、略等しく設定されている。なお、ＬＥＤ１７の並び方向は、ＬＥＤ基板１８の長さ方向（Ｘ軸方向）と一致している。
【００４７】
ＬＥＤ基板１８の実装面１８ａには、ＬＥＤ基板１８の長手方向（Ｘ軸方向）に沿って延在すると共に、各ＬＥＤ１７を横切って隣り合ったＬＥＤ１７同士を直列接続する、金属膜（例えば、銅箔）からなる配線パターン（不図示）が形成されている。この配線パターンの両端部に形成された端子部が、コネクタや電線等の配線部材を介して電源基板ＰＷＢに接続されることで、各ＬＥＤ１７に駆動電力が供給されるように構成されている。導光板１６を挟んで対をなすＬＥＤ基板１８は、その実装面１８ａが互いに対向状をなす姿勢でフレーム１３及びシャーシ１４内に収容されるので、対をなすＬＥＤ基板１８にそれぞれ実装された各ＬＥＤ１７の主発光面１７ａが対向状をなすとともに、各ＬＥＤ１７における光軸がＹ軸方向とほぼ一致する。ＬＥＤ基板１８の基材は、例えばアルミニウム等の金属製であり、その表面に絶縁層を介して上述した配線パターン（不図示）が形成されている。そして、その配線パターンを覆うように、前記絶縁層上に白色のソルダーレジスト膜（不図示）が形成されている。なお、ＬＥＤ基板１８の基材に用いる材料としては、セラミック等の絶縁材料を用いることも可能である。
【００４８】
光源支持部材（放熱部材）１９は、アルミニウム等の熱伝導性に優れた金属材料からなる。光源支持部材１９は、ＬＥＤ１７が実装されたＬＥＤ基板１８が取り付けられてＬＥＤ１７を支持する支持部１９ａと、シャーシ１４の板面に接触される放熱部１９ｂとを備えている。光源支持部材１９は、全体的には、導光板１６の長辺方向に沿って延びた形をなしている。光源支持部材１９の長さ（長手方向の長さ）は、上述したＬＥＤ基板１８の長さ（長手方向の長さ）と略同じに設定されている。光源支持部材１９は、ＬＥＤユニットＬＵを支持した状態で各端面１６ｂ，１６ｃと対向するようにそれぞれ配されている。各端面１６ｂ，１６ｃ側に配されている各光源支持部材１９の基本的な構成は、互いに同じである。そのため、図５を参照しつつ、端面１６ｂ側に配されている光源支持部材１９を例に挙げて説明する。
【００４９】
支持部１９ａは、ＬＥＤ基板１８の板面１８ａ及び光入射面１６ｂに対して平行に配される板状をなしている。また、この支持部１９ａは、シャーシ１４に対して起立した状態となっている。なお、支持部１９ａの長辺方向はＸ軸方向と一致し、短辺方向はＺ軸方向と一致し、厚さ方向がＹ軸方向と一致するように、各図に描かれている。支持部１９ａのうち、内側の板面（導光板１６側を向いた板面）１９ａ１には、ＬＥＤ基板１８が取り付けられている。ＬＥＤ基板１８は、支持部１９ａの板面１９ａに対して、実装面１８ａの反対側にある板面１８ｂが接触する形で、取り付けられている。支持部１９ａは、その長辺寸法がＬＥＤ基板１８の長辺寸法と略同じに設定されるものの、短辺寸法がＬＥＤ基板１８の短辺寸法よりも若干、大きく設定されている。そして、シャーシ１４側に配されている支持部１９ａの短手方向における一方の端部（下端部）１９ａ４には、放熱部１９ｂが接続されている。また、表示面１１ｃ側（フレーム１３側）に配されている支持部１９ａの短手方向における他方の端部（上端部）１９ａ３から、光入射面１６ｂ側に向かって延びるように、後述する遮光部材２１が配されている。なお、前記端部（上端部）１９ａ３は、導光板１６の表側の板面（光出射面）１６ａよりも上側（表側、フレーム１３側）に突出している。
【００５０】
支持部１９ａのうち、外側の板面（つまり、ＬＥＤ基板１８が取り付けられる板面の反対側にある板面）１９ａ２は、後述するフレーム１３が有する外壁部１３ｂ（１３ｂ１）に対して、所定の間隔を保ちつつ対向する。そして、支持部１９ａは、前記外壁部１３ｂ（１３ｂ１）と、導光板１６との間に介在する形で、表示装置１０（バックライト装置１２）内に配されている。支持部１９ａは、放熱部１９ｂにおける内側の端部からＺ軸方向（液晶パネル１１、光学部材１５及び導光板１６の積層方向）に沿って表側（フレーム１３側）に向かって立ち上がっている。なお、図５に示されるように、支持部１９ａの外側の板面１９ａ２側には、フレキシブル基板２１１の端部に接続されているプリント基板２１３が配されている。また、支持部１９ａと端面（光入射面）１６ｂとの間にある間隔内に、ＬＥＤ基板１８上に実装されたＬＥＤ１７が配されている。支持部１９ａは、主発光面１７ａが端面（光入射面）１６ｂと所定間隔を保ちつつ対向する形で、ＬＥＤ１７を支持している。
【００５１】
放熱部１９ｂは、シャーシ１４の板面に対して平行に配されると共に、導光板１６の長辺方向に沿って延びた板状をなしている。なお、放熱部１９ｂの長辺方向がＸ軸方向と一致し、短辺方向がＹ軸方向と一致し、厚さ方向がＺ軸方向と一致するように各図に示されている。放熱部１９ｂは、支持部１９ａの下端部から外側にある外壁部１３ｂ（１３ｂ１）側（導光板１６側とは反対側）に向かって延びた形となっている。放熱部１９ｂの長辺寸法は、支持部１９ａの長辺寸法と略同じに設定されている。放熱部１９ｂの裏側（下側）の板面（つまり、シャーシ１４側を向いた板面）は、その全域がシャーシ１４の板面に対して面接触されている。放熱部１９ｂの内側の端部には、窪み状のネジ孔部１９ｄが設けられている。このネジ孔部１９ｄは、放熱部１９ｂから支持部１９ａの一部に入り込む形で設けられている。光源支持部材１９は、このネジ孔部１９ｄに、シャーシ１４のネジ孔２５ａを挿通した金属製のネジ部材ＳＭ１が螺着されることによって、シャーシ１４（縁底板１４１ｂ）に固定される。ＬＥＤ１７の点灯に伴って発生した熱は、ＬＥＤ基板１８、支持部１９ａ及び放熱部１９ｂを介して、シャーシ１４へと伝達される。このようにして、ＬＥＤ１７等から発生した熱が液晶表示装置１０の外部へと効率的に放散され、装置１０（１２）内部に熱が籠ることが抑制されている。
【００５２】
次いで、遮光部材２１について説明する。遮光部材２１は、所定の厚みを有する黒色の合成樹脂製の板状部材からなる。遮光部材２１は、全体的には、光源支持部材１９の支持部１９ａにおける上端部１９ａ３から導光板１６側（光入射面１６ｂ又は１６ｃ）に向かって延びると共に、導光板１６の長辺方向に沿って延びた平坦な板状をなしている。つまり、本実施形態の場合、遮光部材２１は、導光板１６の長辺方向に沿って長く延びた矩形状の板状部材からなる。なお、各図において、遮光部材２１の長辺方向がＸ軸方向と一致し、短辺方向がＹ軸方向と一致し、厚さ方向がＺ軸方向と一致するように示されている。遮光部材２１は、光源支持部材１９側（外側）に配されている外側部分２１ａと、導光板１６の表側の板面（光出射面）１６ａに載せられる（宛がわれる）内側部分２１ｂとを備えている。
【００５３】
遮光部材２１の外側部分２１ａは、支持部１９ａの上端部１９ａ３から、ＬＥＤ基板１８に実装されたＬＥＤ１７（つまり、ＬＥＤユニットＬＵ）を、上方（表側）から覆うように導光板１６側（光入射面１６ｂ側）に向かって延びている。そのため、遮光部材２１の外側部分２１ａは、光源支持部材１９の支持部１９ａと、導光板１６の光入射面１６ｂとの間にある間隔（隙間）を、上方（表側）から塞ぐ形となっている。したがって、遮光部材２１ｃの外側部分２１ａは、ＬＥＤ１７から発せられた光が、支持部１９ａと光入射面１６ｂとの間から上方（液晶パネル側）へ漏れ出すことを抑制している。
【００５４】
また、遮光部材２１の内側部分２１ｂは、液晶パネル１１と導光板１６とで挟まれた形となっている。遮光部材２１は、この内側部分２１ｂが液晶パネル１１と導光板１６とで挟持されることによって、所定個所で位置決めされる。表示面１１ａ側から見た際、内側部分２１ｂは、導光板１６の光出射面１６ａのうち、非表示領域１１ｃ２と重畳する重畳部分１６ａ２を覆うように、光出射面１６ａ上に配されている。また、遮光部材２１の内側部分２１ｂは、非表示領域１１ｃ２と重畳する形で、液晶パネル１１と対向している。なお、内側部分２１ｂは、ＣＦ基板１１ａの端部にある非表示領域１１ｃ２と重畳する形となっている。ＣＦ基板１１ａの端部には、表示領域１１ｃ１の回りを取り囲む枠状のブラックマトリクスＢＭが形成されており、遮光部材２１の内側部分２１ｂの位置は、Ｙ軸方向（遮光部材２１の短手方向）において、少なくとも前記ブラックマトリクスＢＭとＺ軸方向において部分的に重畳するように、設定されている。つまり、本実施形態の場合、内側部分２１ｂの位置は、光出射面１６ａのうち、非表示領域１１ｃ２に設けられているＣＦ基板１１ａのブラックマトリクスＢＭと重畳する部分に、差しかかった（入った）状態となっている。なお、遮光部材２１の内側部分２１ｂが表示領域１１ｃ１まで差しかかり、表示領域１１ｃ１に入り込んでしまうと、その入り込んだ部分が表示面１１ｃ（表示領域１１ｃ１）において暗部となって現れてしまう。そのため、遮光部材２１の内側部分２１ｂの位置は、表示領域１１ｃ１に入り込まないように設定されることが好ましい。
【００５５】
光出射面１６ａのうち、遮光部材２１の内側部分２１ｂで覆われている部分は、液晶パネル１１（光学部材１５）側に光が出射されなくなっている。光出射面１６ａから内側部分２１ｂに向かって照射（出射）された光は、内側部分２１ｂの板面（光入射面１６ａと対向する面）２１Ａｃによって吸収等されて、遮られる。なお、内側部分２１の板面２１Ａｃに照射された光の中には、前記板面２１Ａｃで反射等されて、再び、導光板１６内へ戻されるものもある。なお、光出射面１６ａの重畳部分１６ａ２のうち、内側部分２１ｂで覆われていない部分（内側部分２１ｂよりも表示領域１１ｃ１側（内側）の部分）については、光がある程度、液晶パネル１１（光学部材１５）側へ出射される。ただし、その部分の上方（表側）には、ＣＦ基板１１ａのブラックマトリクスＢＭが対向する形で配されているため、前記部分から出射された光は、前記ブラックマトリクスＢＭによって遮光されることになる。
【００５６】
なお、本実施形態の場合、導光板１６の光出射面１６ａは、液晶パネル１１の各板面１１ｃ、１１ｄよりも大きく設定されているため、光出射面１６ａの縁側（光入射面１６ｂ、１６ｃ側）には、非表示領域１１ｃ２と重畳しない空白部分が若干、形成されている。この空白部分は、遮光部材２１の内側部分２１ｂによって、覆われる部分となっており、前記空白部分から表側（液晶パネル１１側）に光が漏れ出すことが抑制されている。つまり、遮光部材２１の内側部分２１ｂが重畳部分１６ａ２を覆うように配されると、前記空白部分も内側部分２１ｂによって覆われることになる。
【００５７】
図５等に示されるように、遮光部材２１の内側部分２１ｂの内側（表示領域１１ｃ１側）には、光学部材（光学シート）１５が配されている。光学部材１５は、光出射面１６ａのうち、主として、表示領域１１ｃ１と重畳する部分１６ａ１上に配されている。ただし、光学部材１５の端部は、非表示領域１１ｃ２と重畳する重畳部分１６ａ２上に配されている。光学部材１５の端面は、内側部分２１ｂと対向しており、光出射面１６ａから出射された光が、前記内側部分２１ｂによって、前記光学部材１５の端面から内側に入り込み難くなっている。
【００５８】
次いで、フレーム１３及びシャーシ１４の構成について説明する。フレーム１３及びシャーシ１４は、いずれもアルミニウム等の金属材料からなり、機械的強度（剛性）、熱伝導性等に優れる。フレーム１３及びシャーシ１４は、光源支持部材１９で支持された一対のＬＥＤユニットＬＵを収容しつつ、液晶パネル１１、光学部材１５、導光板１６及び反射シート２０からなる積層物を、その表側と裏側とから挟み込む形で保持する。
【００５９】
フレーム１３は、図３から図５に示されるように、液晶パネル１１の表示面１１ｃにおける表示領域１１ｃ１を取り囲むような枠状をなすと共に、全体として液晶パネル１１等と同様な横長の矩形状をなしている。フレーム１３は、主として、液晶パネル１１の表側に配される枠状の対向部１３ａと、この対向部１３ａの外縁部分からシャーシ１４側に向かって延びる外壁部１３ｂと、前記対向部１３ａの内縁部分から液晶パネル１１側に向かって突出した形をなすと共に、表示領域１１ｃ１の周縁に配されている非表示領域１１ｃ２に宛がわれる接触部１３ｃとを備えている。
【００６０】
対向部１３ａは、フレーム１３の長辺側に配される長手対向部１３ａ１と、その短辺側に配される短手対向部１３ａ２とに分けられる。外壁部１３ｂは、フレーム１３の長辺側に配される長手外壁部１３ｂ１と、その長辺側に配される短手外壁部１３ｂ２とに分けられる。なお、フレーム１３が備える２つの長辺側部分は、基本的には、互いに同じ構造となっている。また、フレーム１３が備える２つの短辺側部分についても、基本的には、互いに同じ構造を備えている。
【００６１】
対向部１３ａは、表示面１１ｃにおける非表示領域１１ｃ２を覆うように、液晶パネル１１の表側に配される。対向部１３ａは、接触部１３ｃから外側（フレーム１３の外縁側）に向かって延びると共に、後述するシャーシ１４の縁底板１４１ｂ，１４１ｃと対向する。長手対向部１３ａ１と、短手対向部１３ａ２とは、それぞれ全体的には、シャーシ１４の板面（液晶パネル１１の板面）に沿って広がった所定の厚みを有する板状をなしている。
【００６２】
長手対向部１３ａ１が備えている長手側の接触部１３ｃは、液晶パネル１１の長辺側の端部（非表示領域１１ｃ２）を、表側からシャーシ１４（導光板１６）側に向かって押さえる部分となっている。長手側の接触部１３ｃは、フレーム１３（対向部１３ａ）の長辺方向に沿って細長く延びた形をなしている。長手側の接触部１３ｃの突出した先端部分１３１は、遮光性を有する弾性体（例えば、黒色のゴム弾性体）からなる。長手側の接触部１３ｃは、その先端部分１３１が、液晶パネル１１の非表示領域１１ｃ２に宛がわれるように設定されている。
【００６３】
短手対向部１３ａ２が備えている短手側の接触部１３ｃは、液晶パネル１１の短辺側の端部（非表示領域１１ｃ２）を、表側からシャーシ１４（導光板１６）側に向かって押せる部分となっている。短手側の接触部１３ａは、フレーム１３（対向部１３ａ）の短辺方向に沿って細長く延びた形をなしている。短手側の接触部１３ｃの突出した先端部分１３１は、長手側の接触部１３ｃと同様、遮光性を有する弾性体（例えば、黒色のゴム弾性体）からなる。短手側の接触部１３ｃは、その先端部分１３１が、液晶パネル１１の非表示領域１１ｃ２に宛がわれるように設定されている。なお、短手対向部１３ａ２に設けられている細長く延びた短手側の接触部１３ｃの端部（末端）は、長手対向部１３ａ１に設けられている長手側の接触部１３ｃの端部（末端）に接続されている。つまり、接触部１３ｃは、全体的には、液晶パネル１１の表示領域１１ｃ１を取り囲むと共に、非表示領域１１ｃ２に宛がわれる枠状をなしている。
【００６４】
外壁部１３ｂは、全体的には、液晶パネル１１等の周りを囲むと共に、対向部１３ａからシャーシ１４側に延びた枠状（角筒状）をなしている。外壁部１３ｂは、対向部１３ａの外縁部分に設けられている。外壁部１３ｂは、液晶パネル１１、光学部材１５、導光板１６及び反射シート２０からなる積層物の周り（端面）を囲むように配されている。
【００６５】
長手外壁部１３ｂ１は、長手対向部１３ａ１の外縁部分から下方（シャーシ１４側）に向かって真っ直ぐに延びた所定の厚みを有する板状（壁状）をなしている。長手外壁部１３ｂ１と導光板１６の各端面（光入射面）１６ｂ，１６ｃとの間にはそれぞれ隙間があり、これらの隙間にＬＥＤユニットＬＵがそれぞれ配されている。長手外壁部１３ｂ１の下端部には、金属製のネジ部材ＳＭ２を螺着可能な溝部１３ｄが形成されている。ネジ部材ＳＭ２がシャーシ１４のネジ孔２５ｂに挿通された状態で、溝部１３ｄに螺着されると、長辺側においてフレーム１３とシャーシ１４とが互いに固定される。
【００６６】
短手外壁部１３ｂ２は、短手対向部１３ａ２の外縁部分から下方（シャーシ１４側）に向かって真っ直ぐに延びた所定の厚みを有する板状（壁状）をなしている。各短手外壁部１３ｂ２の下端部（先端部）には、ネジ部材（不図示）を螺着可能な溝部（不図示）がそれぞれ形成されている。ネジ部材がシャーシ１４のネジ孔（不図示）に通された状態で、溝部に螺着されると、短辺側においてフレーム１３とシャーシ１４とが互いに固定される。
【００６７】
シャーシ１４は、全体的には、液晶パネル１１等と同様、横長の矩形状をなした板状部材からなり、導光板１６の裏側の板面１６ｆを覆う形で、液晶表示ユニットＬＤＵ（液晶表示装置１０）の背面側に配されている。シャーシ１４は、矩形状をなす板状の底板１４ａと、この底板１４ａの長辺側の各端部に立設される立壁板１４ｂ，１４ｃと、これらの立壁板１４ｂ，１４ｃから底板１４ａの反対側（外側）に向かって延びた縁底板１４１ｂ，１４１ｃとを備えている。底板１４ａは、反射シート２０を介して導光板１６の裏側の板面１６ｆに対して宛がわれる部分であり、シャーシ１４の大部分を占めている。この底板１４ａは、反射シート２０を介して導光板１６の裏側の板面１６ｆに対して密着している。
【００６８】
立壁板１４ｂ，１４ｃは、互いに平行に並ぶ形で底板１４ａの長辺側の各辺に設けられている。各立壁板１４ｂ，１４ｃは、底板１４ａと同程度の厚みを有する板状部材からなる。立壁板１４ｂ，１４ｃは、底板１４ａから液晶パネル１１側とは反対側（裏側）に向かって立設されている。立壁板１４ｂ，１４ｃは、底板１４ａの長辺方向に沿って細長く延びた板状（壁状）をなしている。本実施形態の場合、立壁板１４ｂ，１４ｃは、図４等に示されるように、導光板１６の長辺側の端面１６ｂ，１６ｃよりも内側に配されている。つまり、立壁板１４ｂ，１４ｃは、導光板１６の長辺側の端面１６ｂ，１６ｃよりも内側に奥まった状態となっている。これらの長辺側の立壁板１４ｂ，１４ｃから、底板１４ａの外側に向かって縁底板１４１ｂ，１４１ｃが設けられている。縁底板１４１ｂ，１４１ｃは、底板１４ａの長辺方向に沿って細長く延びると共に、底板１４ａと同程度の厚みを有する板状部材からなる。縁底板１４１ｂ，１４１ｃは、それぞれ、フレーム１３の外壁部１３ｂ１と、ＬＥＤユニットＬＵとが配置される個所となっている。また、縁底板１４１ｂ，１４１ｃは、光源支持部材１９の放熱部１９ｂに対して面接触する部分となっている。更に、縁底板１４１ｂ，１４１ｃは、フレーム１３の長手対向部１３ａ１と対向する部分となっている。
【００６９】
シャーシ１４の長辺側に配される縁底板１４１ｂ，１４１ｃには、２種類の挿通孔２５ａ，２５ｂがそれぞれ設けられている。一方の挿通孔２５ｂは、縁底板１４１ｂ，１４１ｃの外側寄りに設けられており、シャーシ１４をフレーム１３に固定するために利用されるネジ部材ＳＭ２が挿通される孔となっている。ネジ部材ＳＭ１が、縁底板１４１ｂ，１４１ｃの挿通孔２５ｂに挿通されると共に、フレーム１３の外壁部１３ｂ１に設けられている溝部１３ｄに差し込まれつつ螺着されることによって、シャーシ１４がフレーム１３に固定される。これに対して、他方の挿通孔２５ａは、縁底板１４１ｂ，１４１ｃの内側寄りに設けられており、光源支持部材１９をシャーシ１４に対して固定するために利用される金属製のネジ部材ＳＭ１が挿通される孔となっている。ネジ部材ＳＭ１が、縁底板１４１ｂ，１４１ｃの挿通孔２５ａに挿通されると共に、光源支持部材１９のネジ孔部１９ｄに差し込まれつつ螺着されることによって、シャーシ１４に光源支持部材１９（ＬＥＤユニットＬＵ）が固定される。
【００７０】
このようにシャーシ１４がフレーム１３に固定されることによって、液晶パネル１１、光学部材１５、導光板１６及び反射シート２０からなる積層物と、その周縁に配されている一対のＬＥＤユニットＬＵとが、フレーム１３及びシャーシ１４によって挟み付けられた状態で保持される。短辺側についても、シャーシ１４がフレーム１３に対してネジ部材（不図示）を利用して固定されている。そして、短辺側についても、前記積層物は、フレーム１３及びシャーシ１４によって挟み付けられた状態で保持される。フレーム１３に設けられている接触部１３ｃは、液晶パネル１１の表側の周縁にある非表示領域１１ｃ２に宛がわれた状態で、シャーシ１４の底板１４ａとの間で前記積層物を挟持している。
【００７１】
ここで、液晶表示装置１０の各構成部品を組み立てる作業手順を説明する。先ず、フレーム１３が、所定の作業台上に設置される。その際、作業台上のフレーム１３は、その表側が下側（作業台側）を向くと共に、その裏側が上側を向いた状態となっている。つまり、フレーム１３は、作業台上に裏返しの状態で設置される。次いで、作業台上のフレーム１３の上側（つまり、フレーム１３の裏側）に、液晶パネル１１が組み付けられる。その際、液晶パネル１１は、ＣＦ基板１１ａが下側（作業台側）に配され、かつアレイ基板１１ｂ側が上側に配された状態となっている。なお、フレーム１３の接触部１３ｃは、液晶パネル１１の非表示領域１１ｃ２に宛がわれた状態となっている。次いで、光学部材１５が液晶パネル１１の裏側（背面１１ｄ側）に載せられる。そして、光学部材１５の各長辺側端部の外側にある液晶パネル１１の背面１１ｄ側の各端部上に、遮光部材２１がそれぞれ載せられる。その際、遮光部材２１の内側部分２１ｂが液晶パネル１１の非表示領域１１ｃ２と対向する形となる。
【００７２】
その後、光学部材１５上に、導光板１６が載せられる。その際、導光板１６は、光出射面１６ａとなる表側の板面１６ａが下側に配され、かつ裏側の板面１６ｆが上側に配された状態となっている。次いで、導光板１６の裏側の板面１６ｆ上に、反射シート２０が組み付けられる。そして、光源支持部材１９に支持されたＬＥＤユニットＬＵが所定個所に取り付けられているシャーシ１４が、フレーム１３側に組み付けられる。
【００７３】
シャーシ１４がフレーム１３に対してネジ部材ＳＭ１等を利用して固定されることにより、液晶表示ユニットＬＤＵの各構成部品が組み立てられる。その後、液晶表示ユニットＬＤＵに対して、その裏面側に、スタンド取付部材ＳＴＡ及び各種基板ＰＷＢ，ＭＢ，ＣＴＢが組み付けられ、更に、スタンドＳＴ及びカバー部材ＣＶが組み付けられることによって、本実施形態の液晶表示装置１０及びテレビ受信装置ＴＶが製造される。
【００７４】
このような液晶表示装置１０の電源をＯＮ（オン）状態にすると、電源基板ＰＷＢからの電力供給を受けてコントロール基板ＣＴＢから各種信号が液晶パネル１１に供給されてその駆動が制御されると共に、バックライト装置１２を構成する各ＬＥＤ１７が点灯駆動される。各ＬＥＤ１７が駆動して、各ＬＥＤ１７から光が発せられると、導光板１６の光入射面１６ｂ，１６ｃからその内部に光が入射される。入射された光は、導光板１６の裏側に敷かれている反射シート２０で反射等されて導光板１６内を進みつつ、その表側の板面（光出射面１６ａ）から光学部材１５に向かって出射される。出射された光は、光学部材１５を通過することによって面状に略均一に広がった光となって、液晶パネル１１の背面１１ｄを照射する。液晶パネル１１は、この面状に広がった光を利用して、表示面１１ｃの表示領域１１ｃ１に画像を表示させている。
【００７５】
上述したように、本実施形態の液晶表示装置１０において、液晶パネル（表示パネル）１１の背面１１ｄ側に導光板１６が配されている。また、ＬＥＤ（光源）１７は、導光板１６の光入射面１６ｂ，１６ｃと対向するように光源支持部材１９によって支持されている。光源支持部材１９は、光入射面１６ｂ，１６ｃに対して間隔を保ちつつ対向すると共に、前記間隔内にＬＥＤ（光源）１７が配されるようにＬＥＤ（光源）１７を支持する支持部１９ａを有している。また、光源支持部材１９は、液晶パネル（表示パネル）１１側に配される支持部１９ａの端部（上端部）１９ａ３から光入射面１６ｂ、１６ｃ側へ延びると共に、光出射面１６ａのうち非表示領域１１ｃ２と重畳する部分を覆うように液晶パネル（表示パネル）１１と導光板１６との間に配される遮光部材２１を備えている。
【００７６】
前記液晶表示装置１０において、ＬＥＤ１７から発せられた光の中には、直接、光入射面１６ｂ等から導光板１６内に入射（導入）されるものもあれば、ＬＥＤ１７の上方（表側）に配されている遮光部材２１側へ進むものもある。遮光部材２１は、黒色の板状部材であり、その表面は光吸収性を備えている。そのため、ＬＥＤ１７から発せられた光が、遮光部材２１（外側部分２１ａ）に照射されると、その板面（ＬＥＤ１７側を向く表面）２１ｃによって吸収等される。したがって、ＬＥＤ１７から発せられた光が、光源支持部材１９の支持部１９ａと光入射面１６ｂ（又は１６ｃ）との間に形成される隙間から、液晶パネル１１の端面（端部）に向かって漏れ出すことが、遮光部材２１（外側部分２１ａ）によって防止されている。液晶パネル１１の厚み方向（背面１１ｄ側から表示面１１ｃ側）ではなく、液晶パネル１１の端面（各基板１１ａ，１１ｂの端面）から、光が表示領域１１ｃ１側に向かって入り込んでしまうと、表示領域１１ｃ１に、輝度ムラ（輝部）が発生してしまう。しかしながら、本実施形態の液晶表示装置１０では、上述したように遮光部材２１を備えているため、このような輝度ムラの発生が防止されている。
【００７７】
ところで、本実施形態の液晶表示装置１０では、液晶パネル１１を構成する各基板１１ａ、１１ｂは、導光板１６の光出射面１６ａ内に納まる大きさとなっている。そのため、各基板１１ａ、１１ｂの端面には、上述した支持部１９ａと光入射面１６ｂ（又は１６ｃ）との間の間隔（隙間）から漏れ出す光以外に、光入射面１６ａの周縁（重畳部分１６ａ２及び、その外側にある空白部分）から出射される光が、入り込んでくる可能性がある。特に、液晶パネル１１の表側に配されているＣＦ基板１１ａの端部（端面）は、アレイ基板１１ｂの端部（端面）よりも、内側（表示領域１１ｃ１側）に配されているため、光出射面１６ａの前記周縁から出射された光が、入り込んでくる可能性がより高くなっている。しかしながら、本実施形態の液晶表示装置１０は、遮光部材２１の内側部分２１ｂが、光出射面１６ａのうち非表示領域１１ｃ２と重畳する重畳部分１６ａ２を覆うように配されているため、重畳部分１６ａ２等から出射される光が、各基板１１ａ、１１ｂの各端面から表示領域１１ｃ１側に入り込むことが防止される。
【００７８】
なお、本実施形態の場合、内側部分２１ｂが、ＣＦ基板１１ａの端部にあるブラックマトリクスＢＭと少なくとも部分的に重畳する（対向する）形で配されていれば、液晶パネル１１の端面（特に、ＣＦ基板１１ａの端面）から表示領域１１ｃ１側へ入り込んでくる光の問題が解消される。
【００７９】
以上のように、液晶表示装置１０がこのような遮光部材２１を備えることによって、ＬＥＤ（光源）１７から発せられた光が、直接、液晶パネル（表示パネル）１１の端部（端面）に向かって進むことが抑制されると共に、光出射面１６ａの前記部分（光出射面１６ａのうち非表示領域１１ｃ２と重畳する部分）１６ａ２から、液晶パネル（表示パネル）１１の端部（端面）に向かって光が出射されることが抑制される。その結果、液晶表示装置１０では、光が液晶パネル（表示パネル）の端部（端面）から液晶パネル（表示パネル）１１内に入り込んで表示面１１ｃの表示領域１１ｃ１に輝度ムラを発生させることが抑制される。
【００８０】
また、本実施形態の液晶表示装置１０は、端部が遮光部材２１（内側部分２１ｂ）よりも内側に配されるように、液晶パネル（表示パネル）１１と導光板１６との間に介在され、光出射面１６ａから出射された光を液晶パネル（表示パネル）の背面１１ｄに向けて透過させる光学部材（光学シート）１５を備えている。液晶表示装置１０において、光学部材（光学シート）１５は、遮光部材２１によって、光学部材１５の端部（端面、各シートの端面）から光学部材１５内に光が入り込んで表示面１１ｃの表示領域１１ｃ１に輝度ムラを発生させることが抑制される。光学部材１５においても、厚み方向からではなく、端面から内側（表示領域１１ｃ１と重畳する部分）に向かって光が入り込むと、その入り込んだ部分から不要に輝度が高くなった光が出射されることになる。そして、その結果、液晶パネル１１の表示面１１ｃに輝度ムラが発生してしまう。しかしながら、本実施形態の液晶表示装置１０では、光学部材１５の端部（端面）は、遮光部材２１（特に、内側部分２１ｂ）で覆われる（対向する）形となっているため、ＬＥＤ１７から発せられた光が、直接、光学部材１５の端部（端面）に向かって進むことが抑制されると共に、光出射面１６ａの重畳部分１６ａ２から、光学部材１５の端部（端面）に向かって光が出射されることが抑制される。
【００８１】
また、本実施形態の液晶表示装置１０において、遮光部材２１は、光出射面１６ａのうち表示領域１１ｃ１と重畳する部分１６ａ１を覆わないように液晶パネル１１と導光板１６との間に配されるものである。このように、遮光部材２１が、光出射面１６ａのうち表示領域１１ｃ１と重畳する部分１６ｃ１を覆わないように液晶パネル１１と導光板１６との間に配されると、表示面１１ｃの表示領域１１ｃ１に、遮光部材２１が入り込むことが抑制され、ひいては遮光部材２１が光を遮ることによって表示領域１１ｃ１内に暗部（輝度ムラ）を発生させることが抑制される。
【００８２】
また、本実施形態の液晶表示装置１０において、液晶パネル（表示パネル）１１は、非表示領域１１ｃ２に対応する個所にブラックマトリクス（遮光層）ＢＭを含み、遮光部材２１は、ブラックマトリクスＢＭと重畳するように配されている。このような構成であると、光入射面１６ｂ、１６ｃのうち非表示領域１１ｃ２と重畳する部分であって、遮光部材２１によって覆われていない部分から光が出射されても、その光はブラックマトリクスＢＭによって遮られることになる。したがって、本実施形態の液晶表示装置１０においては、液晶パネル１１（特に、ＣＦ基板１１ａ）の端部（端面）に光が入り込むことがより確実に抑制される。
【００８３】
また、本実施形態の液晶表示装置１０において、遮光部材２１は、液晶パネル（表示パネル）１１と導光板１６との間で挟持されている。このように、遮光部材２１が、液晶パネル１１と導光板１６との間で挟持される構成であると、特別な取付部材等を利用することなく、遮光部材２１を、所定個所に位置決めした状態で配置することがきる。
【００８４】
＜実施形態２＞
以下、本発明の実施形態２を、図６を参照しつつ説明する。なお、以降の実施形態では、実施形態１と同じ部分については、実施形態１と同じ符号を付して、その詳細な説明は省略する。本実施形態では、バックライト装置１２Ａを備える液晶表示装置１０Ａを例示する。図６は、実施形態２に係る液晶表示装置１０Ａの拡大断面図である。図６に示される液晶表示装置１０Ａの断面構成は、図５に示される実施形態１の液晶表示装置１０の断面構成に対応している。本実施形態の液晶表示装置１０Ａは、実施形態１の遮光部材２１に代えて、遮光部材２１Ａを用いるものである。遮光部材２１Ａの板面２１Ａｃには、その略全域を覆うように、光反射性を備えたシート状（又はフィルム状）の反射部材２２が貼り付けられている。なお、遮光部材２１Ａの大きさ（形状）は、実施形態１の遮光部材２１と略同じである。このように、遮光部材２１Ａを、反射部材２２を貼り付けるための基材として、利用してもよい。
【００８５】
本実施形態の液晶表示装置１０Ａにおいて、遮光部材２１Ａは、ＬＥＤ（光源）１７と対向する側の表面（板面）２１Ａｃ上に反射部材２２を備えている。このような構成を備えていると、ＬＥＤ（光源）１７から発せられた光が、反射部材２２で反射されて、光入射面１６ｂ側へ戻されることになる。したがって、ＬＥＤ（光源か）ら発せられた光が光入射面１６ｂに入射される効率（光入射効率）が高められる。なお、反射部材２２としては、例えば、白色顔料等を含んだ塗膜や、反射シート２０と同様な素材から形成されシート状のもの等が挙げられる。反射部材２２は、前記板面２１Ａｃに対して、それ自身の接着性や、別途用意された所定の接着材等を利用して、貼り付けられる。なお、遮光部材２１Ａに反射部材２２が貼り付けられていると、ＬＥＤ１７から発せられた光が反射部材２２を透過して、液晶パネル１１側へ漏れ出すことも抑制される。
【００８６】
また、本実施形態の液晶表示装置１０Ａにおいて、反射部材２２は、光出射面１６ａのうち非表示領域１１ｃ２と重畳する部分１６ａ２を覆うように遮光部材２１Ａの表面２１Ａｃ上に形成されている。このように、反射部材２２が、前記表面２１Ａｃ上に形成されていると、光出射面１６ａのうち非表示領域１１ｃ２と重畳する部分１６ａ２から出射される光が、反射部材２２に反射されて、再び導光板２６内へ戻されることになる。したがって、ＬＥＤ１７から発せられた光（特に、非表示領域１１ｃ２と重畳する部分１６ａ２から出射された光）の利用効率を高めることができる。
【００８７】
＜実施形態３＞
次いで、本発明の実施形態３を、図７を参照しつつ説明する。本実施形態では、バックライト装置１２Ｂを備える液晶表示装置１０Ｂを例示する。図７は、実施形態３に係る液晶表示装置１０Ｂの拡大断面図である。図７に示される液晶表示装置１０Ｂの断面構成は、図５に示される実施形態１の液晶表示装置１０の断面構成に対応している。本実施形態の液晶表示装置１０Ｂ（バックライト装置１２Ｂ）は、実施形態１の遮光部材２１に代えて、固定部２１Ｂｄを有する遮光部材２１Ｂを用いたものからなる。遮光部材２１Ｂは、固定部２１Ｂｄが液晶パネル１１側に配される光源支持部材１９の端部１９ａ３に固定されることによって、所定個所に配置される。
【００８８】
遮光部材２１Ｂは、外側部分２１Ｂａの外側に、固定部２１Ｂｄが延長して設けられている。固定部２１Ｂｄは、全体的には、外側部部２１Ｂａ等と同様、板状をなしており、その内部に、厚み方向に貫通した孔からなる挿着孔２１Ｂｄ１が設けられている。挿着孔２１Ｂｄ１は、遮光部材２１Ｂの長手方向に沿って細長く延びた形をなしており、長手方向に沿って細長く延びた光源支持部材１９の端部１９ａ３が、挿入される。端部１９ａ３は、板面２１Ｂｃ側から挿し込まれる。そして、端部１９ａ３は、挿着孔２１Ｂｄ１を囲む縁部で囲まれた状態で、挿着孔２１Ｂｄ１に挿着される。なお、遮光部材２１Ｂは、光源支持部材１９の端部１９ａ３に対して、着脱可能な状態で取り付けられている。なお、本実施形態の場合、取付部１９ａの外側にある板面１９ａ２側に、固定部２１Ｂｄの一部が配されている。そして、この部分の固定部２１Ｂｄの外側に、フレキシブル基板２２１に接続されたプリント基板２１３が配されている。
【００８９】
本実施形態の液晶表示装置１０Ｂにおいて、遮光部材２１Ｂは、液晶パネル１１側に配される光源支持部材１９の端部１９ａ３に固定される固定部２１Ｂｄを有するものである。このような構成であると、遮光部材２１Ｂは、固定部２１Ｂｄを利用して光源支持部材１９の前記端部１９ａ３に固定されることによって、遮光部材２１Ｂを所定個所に配置して、位置決めすることができる。つまり、遮光部材２１Ｂの外側部分２１Ｂａが、光源支持部材１９の取付部１９ａと光入射面１６ｂとの間にある隙間を上方（表側）から覆うように（塞ぐように）配され、かつ、内側部分２１Ｂａが、光出射面１６ａのうち非表示領域１１ｃ２と重畳する部分１６ａ２を覆うように、導光板１６と液晶パネル１１との間に配されることになる。
【００９０】
また、本実施形態の液晶表示装置１０Ｂにおいて、固定部２１Ｂｄは、厚み方向に貫通し、液晶パネル側１１に配される光源支持部材１９の端部１９ａ３が挿着される挿着孔２１Ｂｄ１を含む。このように、遮光部材２１Ｂの固定部２１Ｂｄが挿着孔２１Ｂｄ１を含んでいると、遮光部材２１Ｂを光源支持部材１９に対して容易に取り付けることができる。
【００９１】
＜実施形態４＞
次いで、本発明の実施形態４を、図８を参照しつつ説明する。本実施形態では、バックライト装置１２Ｃを備える液晶表示装置１０Ｃを例示する。図８は、実施形態４に係る液晶表示装置１０Ｃの拡大断面図である。図８に示される液晶表示装置１０Ｃの断面構成は、図５に示される実施形態１の液晶表示装置１０の断面構成に対応している。本実施形態の液晶表示装置１０Ｃ（バックライト装置１２Ｃ）は、実施形態１の遮光部材２１に代えて、固定部２１Ｃｄを有する遮光部材２１Ｃを用いたものからなる。遮光部材２１Ｃは、固定部２１Ｃｄが液晶パネル１１側に配される光源支持部材１９の端部に固定されることによって、所定個所に配置される。
【００９２】
光源支持部材１９の端部には、液晶パネル１１側（表側）に突出した凸部（嵌合部）１９０が設けられている。この凸部１９は、光源支持部材１９の長手方向に沿って細長く延びた形をなしている。遮光部材２１Ｃは、外側部分２１Ｃａの外側に、固定部２１Ｃｄが延長して設けられている。固定部２１Ｃｄは、全体的には、下側（シャーシ１４側）から上側（表側）に向かって窪んだ凹部（被嵌合部）２１Ｃｄ１を備えている。この凹部２１Ｃｄ１は、遮光部材２１Ｃの長手方向に沿って細長く延びた形をなしており、前記凸部１９０と嵌合される。本実施形態の場合、凸部１９０は、凹部２１Ｃｄ１に圧入される。なお、遮光部材２１Ｃは、光源支持部材１９の表側の端部にある凸部１９０に対して、着脱可能な状態で取り付けられている。
【００９３】
本実施形態の液晶表示装置１０Ｃにおいて、遮光部材２１Ｃは、液晶パネル１１側に配される光源支持部材１９の端部に固定される固定部２１Ｃｄを有するものである。このような構成であると、遮光部材２１Ｃは、固定部２１Ｃｄを利用して光源支持部材１９の前記端部に固定されることによって、遮光部材２１Ｃを所定個所に配置して、位置決めすることができる。つまり、遮光部材２１Ｃの外側部分２１Ｃａが、光源支持部材１９の取付部１９ａと光入射面１６ｂとの間にある隙間を上方（表側）から覆うように（塞ぐように）配され、かつ、内側部分２１Ｃａが、光出射面１６ａのうち非表示領域１１ｃ２と重畳する部分１６ａ２を覆うように、導光板１６と液晶パネル１１との間に配されることになる。
【００９４】
また、本実施形態の液晶表示装置１０Ｃにおいて、光源支持部材１９は、液晶パネル１１側に配される端部に嵌合部１９０を有し、固定部２１Ｃｄは、嵌合部１９０と嵌合される被嵌合部２１Ｃｄ１を有するものである。このように、光源支持部材１９が、液晶パネル１１側に配される前記端部に嵌合部１９０を有し、固定部２１Ｃｄが、嵌合部１９０と嵌合される被嵌合部２１Ｃｄ１を有するものであると、嵌合部１９０と被嵌合部２１Ｃｄ１とを互いに嵌合させることによって、固定部２１Ｃｄを光源支持部材１９に対して、容易に取り付けることができる。
【００９５】
また、本実施形態の液晶表示装置１０Ｃにおいて、嵌合部１９０は、液晶パネル側に突出した凸部１９０からなり、被嵌合部２１Ｃｄ１は、凸部１９０と嵌合する凹部２１Ｃｄ１からなる。他の実施形態においては、反対に、嵌合部１９０が、前記表示パネル側に開口した凹部からなり、被嵌合部２１Ｃｄ１が、前記凹部と嵌合する凸部からなるものであってもよい。
【００９６】
＜実施形態５＞
次いで、本発明の実施形態５を、図９を参照しつつ説明する。本実施形態では、バックライト装置１２Ｄを備える液晶表示装置１０Ｄを例示する。図９は、実施形態５に係る液晶表示装置１０Ｄの拡大断面図である。図９に示される液晶表示装置１０Ｄの断面構成は、図５に示される実施形態１の液晶表示装置１０の断面構成に対応している。本実施形態の液晶表示装置１０Ｄ（バックライト装置１２Ｄ）は、実施形態１の遮光部材２１に代えて、傾斜面２３を有する遮光部材２１Ｄを用いたものからなる。なお、遮光部材２１Ｄには、実施形態３と同様な構造の固定部２１Ｄｄも設けられている。
【００９７】
本実施形態の液晶表示装置１０Ｄにおいて、遮光部材２１Ｄは、内側（表示領域１１ｃ１側）から支持部１９ａ側（非表示領域１１ｃ２側）に向かって上るように傾斜すると共に、光学部材（光学シート）１５の端部が挿入可能な隙間Ｓ１を液晶パネル１１の背面１１ｄとの間で形成する傾斜面２３を備えている。このように、遮光部材２１Ｄが傾斜面２３を備えていると、光学部材（光学シート）１５が熱膨張した際や位置ずれした際に、光学部材（光学シート）１５の前記端部が外側（遮光部材２１Ｄ側）へ移動しても、光学部材１５の前記端部は、傾斜面２３と液晶パネル１１（アレイ基板１１ｂ）との間に形成される隙間Ｓ１に挿入されることになる。つまり、本実施形態では、膨張等した光学部材１５の端部を前記隙間Ｓ１内へ逃がすことができる。したがって、本実施形態の液晶表示装置１０Ｄでは、光学部材１５の前記端部が遮光部材２１Ｄに押し返されて、光学部材１５に撓みやシワ等の変形が発生することが抑制される。光学部材１５に撓みやシワ等の変形が発生すると、液晶パネル１１の表示領域１１ｃ１に、その変形に起因する輝度ムラ（暗部等）が発生してしまう。しかしながら、本実施形態のように、遮光部材２１Ｄに隙間Ｓ１を形成する傾斜面２３が設けられていると、上述した輝度ムラの発生が抑制される。
【００９８】
＜他の実施形態＞
本発明は上記記述及び図面によって説明した実施形態に限定されるものではなく、例えば次のような実施形態も本発明の技術的範囲に含まれる。
【００９９】
（１）上記実施形態１では、遮光部材２１の内側部分２１ｂの位置（Ｙ軸方向における位置）は、ＣＦ基板１１ａの端部に設けられているブラックマトリクス（ＢＭ）と、部分的にＺ軸方向において対向する（重畳する）位置となっていた。他の実施形態においては、遮光部材２１が、ブラックマトリクス（ＢＭ）全体と対向する（重畳する）位置となってもよい。また、他の実施形態においては、遮光部材２１の内側部分２１ｂが、ブラックマトリクス（ＢＭ）と、対向（重畳）しない位置となっていてもよい。つまり、遮光部材２１の内側部分２１ｂが、前記ブラックマトリクスと対向する部分よりも外側にある重畳部分１６ａ２に配されるものであってもよい。ただし、液晶パネル１１の端面から光を確実に入り込ませないという観点からは、実施形態１等のように、遮光部材２１の内側部分２１ｂの位置（Ｙ軸方向における位置）が、ＣＦ基板１１ａの端部に設けられているブラックマトリクス（ＢＭ）と、Ｚ軸方向において少なくとも部分的に対向する（重畳する）位置となっていることが好ましい。
【０１００】
（２）上記実施形態１では、液晶パネル１１の端部（端面）が導光板１６の端面（光入射面）１６ｂ等よりも内側に配される構成となっていた。他の実施形態においては、液晶パネル１１の端部（端面）位置が、導光板１６の端面（光入射面）１６ｂ等の位置と同じか、それよりも外側に配されていてもよい。
【０１０１】
（３）上記実施形態２では、反射部材２２は、ＬＥＤ１７側を向く遮光部材２１Ａの板面２１Ａｃ上において、略全域を覆う形で設けられていた。他の実施形態においては、反射部材２２は、前記板面２１Ａｃ上において、選択的に、設けられてもよい。例えば、前記板面２１Ａｃのうち、外側部分２１Ａａに対応する部分の板面２１Ａｃのみに反射部材を設けても良いし、或いは、内側部分２１Ａｂに対応する部分の板面２１Ａｃのみに反射部材を設けても良い。
【０１０２】
（４）上記実施形態では、光源としてＬＥＤを利用するものを例示したが、他の実施形態においては、ＬＥＤ以外の光源を利用してもよい。
【０１０３】
（５）他の実施形態においては、ＬＥＤ基板の設置数や配置、ＬＥＤ基板におけるＬＥＤの実装数や配置等は、適宜、変更可能である。
【０１０４】
（６）上記実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１０５】
（７）上記実施形態では、液晶表示装置のスイッチング素子としてＴＦＴを用いたが、ＴＦＴ以外のスイッチング素子（例えば薄膜ダイオード（ＴＦＤ））を用いた液晶表示装置にも本発明は適用可能であり、また、カラー表示する液晶表示装置以外にも、白黒表示する液晶表示装置にも適用可能である。
【０１０６】
（８）上記実施形態では、表示パネルとして液晶パネルを用いた液晶表示装置を例示したが、他の種類の表示パネルを用いた表示装置にも本発明は適用可能である。
【０１０７】
（９）上記実施形態では、チューナーを備えたテレビ受信装置を例示したが、チューナーを備えていない表示装置にも本発明は適用可能である。
【０１０８】
（１０）他の実施形態においては、光学部材や反射シートを備えていない構成であってもよい。
【符号の説明】
【０１０９】
１０…液晶表示装置（表示装置）、１１…液晶パネル（表示パネル）、１１ａ…カラーフィルタ基板、１１ｂ…アレイ基板、１１ｃ…表示面、１１ｃ１…表示領域、１１ｃ２…非表示領域、１１ｄ…背面、１２…バックライト装置（照明装置）１３…フレーム、１３ａ…対向部、１３ｂ…外壁部、１４…シャーシ、１５…光学部材（光学シート）、１６…導光板、１６ａ…表側の板面（光出射面）、１６ａ２…重畳部分、１６ｂ，１６ｃ…長辺側の端面（光出射面）、１６ｄ，１６ｅ…短辺側の端面、１６ｆ…裏側の板面、１７…ＬＥＤ（光源）、１８…ＬＥＤ基板（光源基板）、１９…光源支持部材、１９ａ…支持部、１９ｂ…放熱部、２０…反射シート、２１…遮光部材、２１ａ…外側部分、２１ｂ…内側部分、ＢＭ…ブラックマトリクス、ＴＶ…テレビ受信装置 
【図１】
0005721660.tif 000002
【図２】
0005721660.tif 000003
【図３】
0005721660.tif 000004
【図４】
0005721660.tif 000005
【図５】
0005721660.tif 000006
【図６】
0005721660.tif 000007
【図７】
0005721660.tif 000008
【図８】
0005721660.tif 000009
【図９】
0005721660.tif 000010